(57)【要約】  遊園地アクセス制御システムは、入口を有する遊園地エリアを含む。統合アクセス制御デバイスが入口に位置付けられ、遊園地エリアへの来園客のアクセスを制御するように構成されている。統合アクセス制御デバイスは、互いに物理的に接続されて統合構造を形成するセンサモジュール及びアクセス制御モジュールを含む。センサモジュールは、入口をスキャンして、来園客識別データを決定する。アクセス制御コンピュータシステムは、統合アクセス制御デバイスに通信可能に結合され、来園客登録データと該来園客登録データに関連付けられた資格データとを格納するデータベースを含む。統合アクセス制御デバイスは、来園客識別データ、来園客登録データ、及び資格データの間の比較に基づいて、来園客識別データに関連付けられた資格を識別し、識別された資格に基づいて、入口を通る来園客のアクセスを制御する。【選択図】図１
2021534502.tif 000002
【特許請求の範囲】
【請求項１】
遊園地アクセス制御システムであって、
遊園地エリアへの入口に位置付けられ、前記遊園地エリアへの来園客のアクセスを制御するように構成された統合アクセス制御デバイスであって、互いに物理的に接続されて統合構造を形成するセンサモジュール及びアクセス制御モジュールを含み、前記センサモジュールが前記入口をスキャンして来園客識別データを決定するように構成されている、統合アクセス制御デバイスと、
前記アクセス制御モジュールを介して前記統合アクセス制御デバイスに通信可能に結合されたアクセス制御コンピュータシステムであって、
来園客登録データと該来園客登録データに関連付けられた資格データとを格納する１又は２以上のデータベースを含む、アクセス制御コンピュータシステムと、
を備え、
前記統合アクセス制御デバイスは、前記来園客識別データ、前記来園客登録データ、及び前記資格データの間の比較に基づいて、前記来園客識別データに関連付けられた資格を識別し、識別された前記資格に基づいて前記入口を通る前記来園客のアクセスを制御するように構成されている、
遊園地アクセス制御システム。
【請求項２】
前記統合構造が、前記センサモジュールの垂直組立体を含み、前記通信可能な結合は、前記センサモジュールの各々の上端及び下端に配置される、請求項１に記載の遊園地アクセス制御システム。
【請求項３】
前記センサモジュール及びアクセス制御モジュールは各々、ハウジングと、前記ハウジングの一端に位置付けられたオスコネクタ及び前記オスコネクタに対して前記ハウジングの反対側に位置付けられたメスコネクタとを備える、請求項１に記載の遊園地アクセス制御システム。
【請求項４】
前記センサモジュール及び前記アクセス制御モジュールは各々、ハウジングと、前記ハウジングを通って延びる通信バスと、前記ハウジングを通って延びる電力バスと、を備え、前記それぞれの通信バス及び前記それぞれの電力バスが、前記センサモジュールと前記アクセス制御モジュールとの間で、それぞれ通信及び電力の伝送を可能にする、請求項１に記載の遊園地アクセス制御システム。
【請求項５】
前記センサモジュールが、生体認証センサを含む、請求項１に記載の遊園地アクセス制御システム。
【請求項６】
前記統合アクセス制御デバイスは、前記統合アクセス制御デバイスの制御回路が、前記来園客識別データ及び前記識別された資格に基づいて資格検証ルーチンを実行するのに応じて、視覚的指標を出力するように構成された資格検証フィードバックインジケータを備える、請求項１に記載の遊園地アクセス制御システム。
【請求項７】
前記統合アクセス制御デバイスは、前記センサモジュール及び前記アクセス制御モジュールとの動作を調整するように構成された制御回路を収容するベースモジュールを備える、請求項１に記載の遊園地アクセス制御システム。
【請求項８】
前記ベースモジュールは、前記統合アクセス制御デバイスを表面に固定するように構成されたマウントに結合され、前記統合アクセス制御デバイスは、前記ベースモジュールに対して前記統合アクセス制御デバイスの反対側に位置付けられたキャップモジュールを備え、前記キャップモジュールが前記統合アクセス制御デバイスの内部特徴へのアクセスをシールする、請求項７に記載の遊園地アクセス制御システム。
【請求項９】
前記統合アクセス制御デバイス近くに位置付けられた登録アーチを含む入口を備える、請求項１に記載の遊園地アクセス制御システム。
【請求項１０】
前記登録アーチは、第２の統合構造に一体化された複数のセンサ及び登録フィードバックインジケータを備え、前記複数のセンサは、生体認証センサを含む、請求項９に記載の遊園地アクセス制御システム。
【請求項１１】
前記登録アーチが、前記アクセス制御コンピュータシステムに通信可能に結合され、前記生体センサが、来園客生体認証データを収集するように構成され、前記登録アーチは、前記アクセス制御コンピュータシステムの前記１又は２以上のデータベースにアクセスし、前記収集された来園客生体認証データで前記１又は２以上のデータベースを更新するように構成された制御回路を備える、請求項１０に記載の遊園地アクセス制御システム。
【請求項１２】
前記登録フィードバックインジケータは、来園客の登録が完了したことに応じて、視覚的又は聴覚的指標を出力するように構成される。請求項１１に記載の遊園地アクセス制御システム。
【請求項１３】
前記統合アクセス制御デバイスは、
前記遊園地エリアに関連付けられた資格を持たない来園客識別子のセットを決定するステップと、
前記入口での来園客のスキャンされた来園客識別子を、前記遊園地エリアに関連付けられた前記資格を持たない前記来園客識別子のセットと比較するステップと、
前記来園客識別子のセットが前記スキャンされた来園客識別子を含むという決定に応じて知覚可能な指標を出力するステップと、
によって前記入口を通る来園客のアクセスを制御するように構成される、
請求項１に記載の遊園地アクセス制御システム。
【請求項１４】
追加の入口を有する追加の遊園地エリアと、
前記追加の入口に位置付けられた追加の統合アクセス制御デバイスと、
を備え、
前記追加の統合アクセス制御デバイスは、
前記追加の遊園地エリアに関連付けられた追加の資格を持たない来園客識別子の追加のセットを決定し、
前記追加の入口にて追加の来園客の追加のスキャンされた来園客識別子を、前記追加の遊園地エリアに関連付けられた前記追加の資格を持たない前記追加の来園客識別子のセットと比較し、
前記来園客識別子の追加のセットが前記追加のスキャンされた来園客識別子を含むという決定に応じて、追加の知覚可能な指標を出力する、
ように構成されている、
請求項１３に記載の遊園地アクセス制御システム。
【請求項１５】
遊園地へのアクセスを制御する方法であって、
前記遊園地に関連付けられた複数の資格及び複数の来園客識別子を受け取るステップと、
前記複数の資格のそれぞれの資格毎に、前記それぞれの資格に関連付けられていない前記複数の来園客識別子のうちのそれぞれの来園客識別子のセットを決定するステップと、
前記複数の資格のそれぞれの資格毎に、前記それぞれの資格に関連付けられている前記遊園地の複数の統合アクセス制御デバイスのうちのそれぞれの統合アクセス制御デバイスを決定するステップと、
前記複数の統合アクセス制御デバイスのそれぞれの統合アクセス制御デバイス毎に、前記それぞれの統合アクセス制御デバイスに関連付けられている前記それぞれの資格に関連付けられていない前記それぞれの来園客識別子のセットについて前記遊園地のそれぞれのエリアをスキャンするステップと、
を含む、方法。
【請求項１６】
前記複数の統合アクセス制御デバイスのそれぞれの統合アクセス制御デバイス毎に、前記それぞれの資格に関連付けられていない前記それぞれの来園客識別子のセットの来園客識別子に来園客が関連付けられていると決定されたことに応じて、来園客が前記それぞれの資格を持っていないという指標を出力するステップを含む、請求項１５に記載の方法。
【請求項１７】
統合アクセス制御デバイスであって、
来園客識別データをスキャンするように構成された１又は２以上のセンサモジュールと、
前記１又は２以上のセンサモジュールに結合されて統合構造を形成するアクセス制御モジュールと、
を備え、前記アクセス制御モジュールが、来園客登録データ及び前記来園客登録データに関連付けられた資格データを格納する１又は２以上のデータベースを含むアクセス制御コンピュータシステムに通信可能に結合されるように構成され、
前記アクセス制御コンピュータシステムが、
１又は２以上のプロセッサと、
機械可読命令を格納する１又は２以上のメモリデバイスと、
を備え、
前記機械可読命令は、前記プロセッサによって実行されたときに、
前記来園客識別データ、前記来園客登録データ、及び前記資格データの間の比較に基づいて、前記来園客識別データに関連付けられた資格を識別し、
前記識別された資格に基づいて、入口エリアを通る来園客のアクセスを制御する、
ように前記プロセッサにさせる、
ことを特徴とする統合アクセス制御デバイス。
【請求項１８】
前記アクセス制御モジュールが、前記統合アクセス制御デバイスを表面に固定するように構成されたマウントに結合され、前記統合アクセス制御デバイスは、前記アクセス制御モジュールに対して前記統合アクセス制御デバイスの反対側に位置付けられたキャップモジュールを備える、請求項１７に記載の統合アクセス制御デバイス。
【請求項１９】
前記１又は２以上のセンサモジュールが各々、
ハウジングと、
前記ハウジングの一端に位置付けられたそれぞれのオスコネクタと、
前記オスコネクタに対して前記ハウジングの反対側に位置付けられたそれぞれのメスコネクタと、
を備える、
請求項１７に記載の統合アクセス制御デバイス。
【請求項２０】
前記アクセス制御モジュールの第１のオスコネクタは、前記１又は２以上のセンサモジュールのうちの第１のセンサモジュールの第１のそれぞれのメスコネクタに結合するように構成されており、前記キャップモジュールの第１のメスコネクタが、前記１又は２以上のセンサモジュールのうちの第２のセンサモジュールの第１のそれぞれのメスコネクタに結合するように構成される、請求項１７に記載の統合アクセス制御デバイス。
【発明の詳細な説明】
【技術分野】
【０００１】
本開示は、一般に、遊園地の分野に関し、より具体的には遊園地の様々なセクションへのアクセスを管理するためのシステムに関する。
【背景技術】
【０００２】
この段落は、本開示の様々な態様に関連する可能性のある当該技術の様々な態様を読み手に案内することを意図しており、これらの態様は、以下に記載及び／又は特許請求される。この議論は、本開示の様々な態様のより良い理解を容易にするための背景情報を読み手に提供するのに有効であると考えられる。従って、これらの記載は、従来技術の自認としてではなく、この観点から読まれるべきであることを理解されたい。
【０００３】
２０世紀初頭の創業以来、遊園地の人気は飛躍的に高まっている。この高まる需要に対応するため、遊園地は、アトラクション及びスペースを追加することで拡大している。アトラクション（例えば、乗り物、レストラン、ショップ、及びショー）を追加すると、一般に、より多くの来園客を処理するキャパシティの追加を遊園地にもたらす。しかしながら、アトラクションの追加はまた、潜在的な来園客に遊園地を訪問するインセンティブを提供することができる。従って、特定の遊園地は、キャパシティを追加する場合があるが、キャパシティを追加しても、必ずしも来園客が遊園地の娯楽（例えば、ショッピング、ショーの鑑賞、乗り物への乗車）に参加する能力が向上する、又はアトラクションの待機時間が短くなる訳ではない。これは、多くの場合、それに応じて入場者数が増えることに起因する。更に、より効率的に運営するために、入場者数が少ない状況でアトラクションの利用を制限することが望ましいことが多い。
【０００４】
遊園地のアトラクション及び遊園地自体への入場は、来園客が順番待ちの行列をなしている１又は２以上の場所で制御されることが多い。実際に、遊園地の待ち行列は、アトラクションへの許可、遊園地及びその特定の部分に入る資格の購入、来園客の資格の検証、食品及び商品の購入、及びその他多くに関連している場合がある。遊園地の来園客に全体的に有意義な体験を提供するには、待ち行列に関連する特定の問題に対処する必要がある。実際に、来園客は、待ち行列の待機時間及び複数の待ち行列の場所に伴うネガティブな体験に起因して、特定の遊園地に戻ることを思いとどまらせる可能性があることが認識されている。従って、遊園地の待ち行列システム及び方法を改善することで、遊園地の顧客にとってより楽しく有意義な体験をもたらすことができる。
【０００５】
本開示のこれら及び他の特徴、態様、及び利点は、図面全体を通じて同様の文字が同様の部分を表す添付図面を参照しながら、以下の詳細な説明を読むと、よりよく理解されるであろう。
【図面の簡単な説明】
【０００６】
【図１】本開示の１つの態様による、様々な資格エリアへの入場を制御する統合アクセス統合制御制御デバイスを備えたアクセス制御システムを有する遊園地の１つの実施形態を概略的に示すブロック図である。
【図２】本開示の１つの態様による、複数の統合アクセス制御デバイスを有する入口システムの１つの実施形態の斜視図である。
【図３】本開示の１つの態様による、遊園地に入る資格を有する来園客が図２の入口システムを通って進む例示的な状況の斜視図である。
【図４】本開示の１つの態様による、来園客が図２の入口システムを通って進み、遊園地に入る資格を持たないと統合アクセス制御デバイスによって識別される、別の例示的な状況の斜視図である。
【図５】本開示の１つの態様による、統合アクセス制御デバイスの１つの実施形態の分解斜視図である。
【図６】本開示の１つの態様による、ターゲットスキャンを実行することによって入口を通る来園客のアクセスを制御する方法の１つの実施形態を示すプロセスフロー図である。
【発明を実施するための形態】
【０００７】
本技術の１又は２以上の具体的な実施形態について以下で説明する。これらの実施形態を簡潔に説明するために、実際の実装の全ての特徴が本明細書に記載されている訳ではない。エンジニアリング又は設計プロジェクトにおいてみられるように、このような実際の実施構成の開発では、実施構成毎に異なる可能性があるシステム関連及びビジネス関連の制約を伴うコンプライアンスなど、開発者固有の目標を達成するために、多くの実施構成固有の決定を行う必要があることを理解されたい。更に、このような開発努力は複雑で時間がかかる可能性があるが、それにもかかわらず、本開示の利益を有する当業者にとって、設計、製作、及び製造の日常的業務であることを理解されたい。
【０００８】
遊園地の様々なエリアにアクセスするために、来園客は、複数のデバイス及び場所を通過するように求められる場合がある。これらには、回転式改札口、金属探知機、生体認証スキャナ、発券などを挙げることができる。各デバイスは、来園客の遊園地及び／又はそのセクションへの入場を遅くし、テーマパーク体験の様々なステージで来園客のフラストレーションレベルを高める可能性がある。
【０００９】
従来の手法のこれら及び他の欠点に対処するために、本実施形態は、とりわけ、幾つかの来園客アクセス制御デバイス（例えば、バイオメトリクス（顔、指及び虹彩）、発券、及び金属探知デバイス）を組み合わせて単一の物理デバイス及び統合プロセスに統合することによって、目に見えない回転式改札口体験を提供する。来園客アクセス制御デバイスのシステムは、統合アクセス制御デバイスと呼ばれることがある。このような実施形態によれば、デバイスに格納されたアルゴリズムソフトウェアは、様々なセンサ、個人用モバイルデバイス信号、アクセスカード信号、などから入力（例えば、体型、顔、指、及び／又は虹彩を示すデータ）を受け取ることができる。来園客の識別情報と資格を連続的に評価することにより、統合アクセス制御デバイスは、目に見えない回転式改札口として機能し、すなわち、様々な遊園地の場所への不正アクセスを連続的に評価しながら、来園客が適切な資格を取得し、易流動性の煩わしさのない入場体験を可能にする。
【００１０】
特定の実施形態によれば、来園客は、自宅、オンライン、又はオンサイト（遊園地）でシステムに登録することができる。登録時には、統合アクセス制御デバイスは、来園客の顔、指、全身スキャン、虹彩、又は個人用電子機器など他の特徴を介して、来園客のマッチング及び検証を実行することができる。従って、統合アクセス制御デバイスは、来園客がセキュリティチェックポイントを通過するときに、来園客が適切な資格を有しているかどうかを容易に検証することができる。本システムはまた、来園客が個人のモバイルデバイスを介して又は遊園地もしくはアトラクションの入口地点でチームメンバーからの支援を受けて、新しい資格を登録及び追加することができる。
【００１１】
統合アクセス制御デバイスは、様々な環境で迅速な輸送及び配備を可能にするモジュラー設計を有することができる。設計のモジュール性によりまた、要求に応じて、アクセス制御デバイスの全部又は一部を追加又は削除することができる。例えば、アクセス制御デバイスの追加又は削除は、リアルタイムの遊園地内入場者数、スケジュールされたイベント（例えば、特別なイベント）などに基づくことができる。従って、統合アクセス制御デバイスは、来園客のスループットを大幅に改善し、来園客の待ち時間を短縮し、統合アクセス制御デバイスのインストールと削除の柔軟性に基づいて、全体的な遊園地入場体験を向上させることができる。
【００１２】
本開示の統合アクセス制御デバイス及びシステムは、遊園地内及びその周辺の様々な異なる設定及び場所で使用することができる。説明を助けるために、図１は、統合アクセス制御システム１２の１つの実施形態を利用する遊園地１０の例示的な実施形態の概略図である。図に示すように、遊園地１０は、遊園地１０及び／又は遊園地１０内の場所へ来園客のアクセスを制御する様々な統合アクセス制御デバイス１６（例えば、１６Ａ及び１６Ｂ））の動作を調整するアクセス制御コンピュータシステム１４を含む。より具体的には、アクセス制御コンピュータシステム１４は、アクセス制御に関連する様々な制御動作を実行する処理及びメモリ回路を有し、本明細書に記載の技術の実施中に使用される様々なデータを格納する１又は２以上のコンピューティングデバイスを含むことができる。
【００１３】
アクセス制御コンピュータシステム１４は、遊園地の様々なセクションに関連付けられる様々な入口位置１８（例えば、１８Ａ及び１８Ｂ）に位置付けることができる統合アクセス制御デバイス１６と組み合わせて動作する１又は２以上の特別に構成されたサーバコンピュータとして実装することができる。図１の実施形態では、遊園地１０のこれらの異なるセクションは、資格エリア２０（例えば、２０Ａ及び２０Ｂ）として表記される。図示の資格エリア２０は、アトラクション（例えば、乗り物、ショーエリア、ゲームエリア）２２（例えば、２２Ａ、２２Ｂ）、レストラン２４（例えば、２４Ａ、２４Ｂ）、ショップなど、それぞれの関心領域を含む。資格エリア２０のそれぞれの入口１８に位置付けられた統合アクセス制御デバイス２０は、一般に、各エリア２０の入口１８を通る来園客のアクセスを制御する。
【００１４】
統合アクセス制御デバイスs１６とアクセス制御コンピュータシステム１４の調整は、ネットワーク２６を介して行うことができる。ネットワーク２６は、複数のイーサネット接続を含む有線ネットワークとすることができ、或いは、何れかの適切な無線通信プロトコルに従って動作する無線ネットワークとすることができる。例えば、ネットワーク２６〔ＷＬＡＮ〕、無線広域ネットワーク〔ＷＷＡＮ〕、又は近距離無線通信〔ＮＦＣ〕ネットワーク）とすることができる。ネットワーク２６は、統合アクセス制御デバイス１６及びアクセス制御コンピュータシステム１４の様々な構成要素間の通信及び調整を可能にする。図示のような、アクセス制御コンピュータシステム１４の構成要素は、来園客情報又は来園客登録データベース２８、資格データベース３０、及びアクセス制御データベース３２を含むことができる。アクセス制御コンピュータシステム１４にローカルなワークステーション、並びに本明細書に記載のアクセス制御技術の動作を容易にすることができる他のデータベース又はコンピュータデバイスなど、具体的に図示されていない他の構成要素は、アクセス制御コンピュータシステム１４の一部として含めることができる。
【００１５】
来園客登録データベース２８は、来園客に関連する様々な識別情報などの来園客登録データを含むことができる。識別情報は、例として、来園客の１又は２以上の写真、他の登録済み及び／又は未登録の来園客（例えば、家族）との来園客関連付け、生体認証データ、来園客の個人用電子機器に関連するデータ、来園客識別番号、家族識別番号、個人用電子機器識別番号などを含むことができる。来園客登録データは、特定の実施形態では、本明細書に記載される他のタイプのデータとの関連付けを容易にする方法で格納することができる。
【００１６】
このようなデータの１つのセットは、資格データベース３０によって格納することができ、資格データベースは、様々な来園客を様々な資格、チケット、資格データを格納させたリストバンドなどと関連付ける資格データを含むことができる。資格データの格納は、幾つかの様々な方法で実装することができる。例えば、資格データは、来園客登録データ及び／又は来園客の名前又は来園客に関連する他の情報（例えば、特定の来園客に関連付けられた番号又はコード）に関連付けることができる。多くの場合、特定の来園客は、第１の資格エリアへの入場に関連付けられているが、第２の資格エリアには関連付けられていない資格など、特定の資格に関連付けることができる。更に、資格データベース３０は、以下に説明するように、来園客情報を資格のないエリアに関連付けることができる。アクセス制御データベース３２は、様々なアクセス制御アルゴリズム、資格エリアの履歴アクセスに関連する日付、及び同様のものを含むことができる。特定の実施形態では、アクセス制御コンピュータシステム１４は、来園客に関連する各識別子（例えば、各写真、指紋、網膜又は虹彩スキャン、又は他の生体認証データなどの来園客登録データの各インスタンス）をその特定の来園客の来園客登録データと関連付けることができる。これにより、以下に説明するセンサの何れか１つ又はその組み合わせが、識別している来園客情報を取得することができ、次いで、これを用いて、来園客が、特定の資格エリアに効率的な手法でアクセスできる（又はできない）ようにすることができる。言い換えると、来園客登録データを来園客資格（購入）データに直接リンク付けすることにより、特定の実施形態では、アクセス制御コンピュータシステム１４及び／又は統合アクセス制御デバイス１６に関連するコンピューティングデバイスが実行することができるプロセスの数を削減し、資格エリアへの来園客アクセスを許可又は拒否するのに専用のメモリ、記憶スペース、及び／又はネットワークリソースの量を低減することができる。
【００１７】
アクセス制御データベース３２は、本明細書に記載の様々なアクセス制御プロセスを実行するアルゴリズム、各統合アクセス制御デバイス１６に関連する識別情報（例えば、インターネットプロトコル（ＩＰ）アドレス及び／又は遊園地１０内の場所）、各統合アクセス制御デバイス１６に関連付けられたセンサ情報、センサの識別情報（例えば、各センサが個別にアドレス指定可能な状況において）、センサに関連する履歴データ、センサに関連する保守情報などを格納することができる。
【００１８】
図１にも示されているように、統合アクセス制御デバイス１６は、アクセス制御デバイス３４及びモジュラーセンサデバイス３６などの幾つかの異なる構成要素を含むことができる。特定の実施形態では、アクセス制御デバイス３４及びモジュラーセンサデバイス３６は、モジュール方式で共に組み合わせ又は配向されて、統一された構造を形成することができる。統一された構造は、ポール、アーチ道、戸口など様々な形をとることができる。モジュラーセンサデバイスは、その場所（例えば、入口１８で）に近接する来園客を示す情報を検知又は収集するように構成することができる。
【００１９】
各モジュラーセンサデバイス３６によって収集される情報のタイプは、特定のタイプのセンサデバイスに依存することができる。以下で更に詳細に説明するように、例えば、モジュラーセンサデバイス３６は、生体認証センサ、顔認識カメラ及び関連する識別回路、金属探知機、有線通信デバイス、バーコードスキャナなどを含むことができる。
【００２０】
モジュラーセンサデバイス３６とアクセス制御デバイス３４は、相互に通信することができ、場合によっては、アクセス制御コンピュータシステム１４と通信して、アクセス制御デバイス３４が、様々なモジュラーセンサデバイス３６の動作を調整し、幾つかの状況では、様々な制御アルゴリズムに基づいてアクセス制御をアクティブにすることができるようになる。様々な制御アルゴリズムは、統合アクセス制御デバイスにてローカルに実行すること、又はアクセス制御コンピュータシステム１４でリモートで、もしくは両方の組み合わせで実行することができる。例えば、アクセス制御デバイス３４は、モジュラーセンサデバイス３６から特定のタイプの来園客識別情報を受け取ることに応答して、幾つかの方法でアクセス制御動作を実行することができる。一例として、アクセス制御デバイス３４は、異なる場所（例えば、アトラクション２２、レストラン２４、又はショップ）間のアクセスを物理的にブロックする機械的特徴を作動させることによって、アクセス制御動作を実行することができる。別の例として、アクセス制御デバイス３４は、信号をリモートデバイスに中継することによってアクセス制御動作を実行することができ、リモートデバイスは、特定のゲストがゲストを登録できるエリアに案内されるべきであり、これらの登録が１又は２以上の特定の資格に関連付けられることを公園の従業員に通知する。
【００２１】
上記を念頭に置いて、図２は、図１の遊園地１０への入口１８、図１の資格エリア２０又は同様のものに関連付けることができる入口システムの１つの実施形態の斜視図である。図２の入口システム５０は、来園客の所持品のスクリーニング、来園客情報の来園客登録データベース２８への登録、来園客識別情報の決定及び検証、並びに来園客資格の照合についての種々の特徴を含む。図示の入口システム５０はまた、入口システム５０の制御デバイスによって生成された出力に基づいて、遊園地の様々な場所に来園客を案内するために遊園地の従業員が配置され得る場所（例えば、キオスク又は指示台）を含むことができる。
【００２２】
より具体的には、入口システム５０の図示された構成要素は、遊園地１０において許可されていないアイテムについて手荷物をスキャンする任意の適切なタイプのデバイス又はシステムとすることができる手荷物スキャナ５２を含む。例として、このようなスキャナ５２は、透過する電磁放射を利用して、手荷物及び手荷物に含まれるもののビューを生成することができる。入口システム５０はまた、手荷物又は他の身の回り品を手荷物スキャナを介して移動させる移動ベルト又はコンベヤーベルト５４を含む。
【００２３】
第１の統合アクセス制御デバイス１６Ａは、手荷物スキャナ５２に隣接して位置付けられ、コンベヤーベルト５４の積載部分５とコンベヤーベルトの回収部分との間にある。第１の統合アクセス制御デバイス１６Ａは、来園客が通過することができるアーチ（図１のアクセス制御デバイス３４を含むか、又はその一部とすることができる）として示され、入口システム５０が遊園地１０への入口１８にある状況では、「登録アーチ」１６Ａと呼ぶことができる。登録アーチ１６Ａは、来園客が通り抜けることができるアーチの形状をとることができ、生体認証センサ６０、金属探知機６２、並びに生体認証登録フィードバックインジケータ６４など、来園客からの情報を検出又は来園客に情報を中継する複数の一体型構成要素を含む。生体認証センサ６０（例えば、顔面生体認証センサ及び／又は全身スキャナを含む）及び金属探知機６２は、来園客に関連する情報を決定又は識別することができ、一方、生体認証登録フィードバックインジケータ６４は、来園客の登録に関連する幾つかの態様又は詳細を示す。フィードバック（例えば、来園客への）を提供することができる。登録アーチ１６Ａは、限定ではないが生体認証センサ６０及び金属探知機６２を含む複数のセンサを組み込むことができる。これらのセンサを使用して、登録アーチ１６Ａは、来園客登録の実行を容易にすることができる。例えば、登録アーチ１６Ａは、生体認証センサ６０を利用して、来園客をスキャンし、適切な登録手順を実行し、来園客が登録されると、フィードバックインジケータ６４がそれに応じて信号を送ることができる（例えば、来園客が登録されていることの確認をすることにより）。図２の第１の統合アクセス制御デバイス１６Ａは、登録アーチとして描かれているが、統合アクセス制御デバイス１６Ａ（例えば、図１にて記載されるように）は、任意の適切な構造、形状、幾何学的構成、寸法の態様などを含むことができる。
【００２４】
来園客の登録に関するフィードバックは、例えば、来園客の来園客登録データベース２８への登録状態、来園客登録データベース２８への来園客資格の検証又は同様のものを示すことができる。より具体的には、フィードバックインジケータ６４は、来園客が十分な識別情報を提供したことに対応し、これによりシステムへの以前の登録を示し、これ以上の登録プロセスが必要ではない検証指標を提供又は出力することができる。或いは、フィードバックインジケータ６４は、来園客がスキャンされて登録されている間は待機するように来園客に指標を提供又は出力することができる。追加的又は代替的に、フィードバックインジケータ６４は、生体認証センサ６０又は同様の特徴を使用してスキャンすると、来園客が登録されて続行できることを視覚的及び／又は聴覚的に確認することができる。更に、フィードバックインジケータ６４は、来園客が遊園地の活動に参加するために更なる登録を必要とすることなど、来園客に他の何れかの適切な指標を提供することができる。
【００２５】
図２の図示の実施形態では、第２の統合アクセス制御デバイス１６Ｂは、登録アーチ１６Ａを超えて位置付けられる。特定の実施形態では、第２の統合アクセス制御デバイス１６Ｂは、資格検証を実行する。図示の第２の統合アクセス制御デバイス１６Ｂは、全身生体認証センサ６６を含む。第２の統合アクセス制御デバイス１６Ｂはまた、多因子センサ６８を含み、これは、例えば、来園客の手、目、又は他の物理的特徴に関する情報を収集することができるセンサを含むことができる。追加的又は代替的に、多因子センサ６８は、来園客に関連する電子デバイス（例えば、スマートフォン、ウェアラブルデバイス、又は電子デバイス又は識別タグが埋め込まれた遊園地入場ブレスレット）、来園客が携帯するチケットなどを識別することができる。
【００２６】
第２の統合アクセス制御デバイス１６Ｂはまた、資格検証フィードバックインジケータ７０を含む。資格検証フィードバックインジケータ７０はまた、来園客が適切に登録されている場合、及び／又は来園客の登録情報が遊園地に入る資格に対応又はマッチしている場合に適切な指標を提供することができる。例えば、第２の統合アクセス制御デバイス１６Ｂは、アクセス制御コンピュータシステム１４の来園客登録データベース２８及び／又は来園客資格データベース３０に照会して、来園客の識別情報が適切な資格に関連付けられているかどうかを決定する内部制御回路を含むことができる。次いで、制御回路は、必要に応じて、視覚的及び／又は聴覚的フィードバックインジケータ（例えば、資格検証フィードバックインジケータ７０の）１又は２以上をアクティブにすることができる。従って、第２の統合アクセス制御デバイス１６Ｂの近くに配置された修正指示台５１に位置する遊園地の従業員は、遊園地１０のアトラクション２２又は資格エリア２０に向かうよう、或いは来園客が遊園地１０のセクションにアクセスするために資格を購入できる遊園地１０の別の場所へ向かうように来園客に指示することができる。
【００２７】
図３及び図４は各々、来園客が入口システム５０を進み、登録及び資格検証を経て、様々なアクセス制御デバイス１６の動作に応じた方式で入口１８を進むことができる手法の実施例を示している。具体的には、図３の実施例８０では、第１のステップにて、来園客８４が入口１８（例えば、遊園地１０への）のセキュリティに近づき、移動ベルト５４の積載部分５６に所持品を置く。来園客８４は、手荷物スキャナによって所持品をスキャンしている間、第２のステップ８８において登録アーチ１６Ａを通って歩きながら顔及び体をスキャンしてもらう。この時点で、第１の統合アクセス制御デバイス（登録アーチ）１６Ａは、来園客の顔及び体をスキャンし、その生体認証プロファイルを登録する。
【００２８】
来園客８４は、第３のステップにおいて、金属物体のスキャンを含むことができる第１の統合アクセス制御デバイス１６Ａを通過し、第２の統合アクセス制御デバイス１６Ｂは、来園客の資格の検証を実行する。例えば、第２の統合アクセス制御デバイス１６Ｂの全身生体認証センサ６６は、来園客をスキャンし、来園客の識別情報を決定して、識別情報を、第２ステップにおいて登録された格納情報並びに資格データベース３０に格納された資格情報と比較することができる。第２の統合アクセス制御デバイス１６Ｂはまた、来園客の識別情報がスキャンされた通りに登録情報（例えば、登録データベース２８に格納されている）と一致するとの決定、及び／又は登録情報が遊園地１０に入る資格と関連付けられているとの決定に応じて、来園客の資格が検証されたと決定することができる。第２の統合アクセス制御デバイス１６Ｂは、資格が有効であるという視覚的指標を生成することができる。例えば、指標は、青信号の出力又はチェックマークの表示など、第２の統合アクセス制御デバイス１６Ｂ（例えば、登録フィードバック検証インジケータ７０）のインジケータの一部の出力を含むことができる。
【００２９】
状況によっては、視覚的指標は、遊園地の従業員を対象としたものであり、周囲の来園客の知覚を目的としたものではない場合がある。従って、資格検証インジケータ７０を監視して、来園客の進み方（例えば、遊園地１０に入る、又は修正指示台５１に誘導される）を決定する第１の遊園地従業員（例えば、９２）が存在する可能性がある。他の実施形態では、人間の従業員ではなく、来園客に特定の方法で進むよう指示する、及び／又は来園客の進行を物理的にブロックする１又は２以上のデバイスが存在する場合がある。例えば、来園客に特定の場所に進むように指示するテキスト及び／又はグラフィックでの表示が存在することができる。第４のステップ９４では、登録が検証され、登録フィードバック検証インジケータ７０が緑色に点灯しているので、来園客８４は、自分の持ち物を受け取って、遊園地１０の資格エリア２０に向かう。
【００３０】
図４に示されている実施例１１０では、第１及び第２のステップ８２、８８は、図３の実施例０８に関して説明したように進行する。しかしながら、来園客８４が登録アーチ１６Ａを通過すると、第２の統合アクセス制御デバイス１６Ｂは、この場合は、来園客の資格が見つからないか又は無効であると決定する。この決定に応じて、第２の統合アクセス制御デバイス１６Ｂの一部（例えば、登録フィードバック検証インジケータ７０）は、図３の例示例８０において記載された指標とは異なる指標を提供する。例えば、第２の統合アクセス制御デバイス１６Ｂのフィードバックインジケータ７０は、赤色に点灯又は「Ｘ」を表示することができ、或いは、来園客８４が第４のステップ１１２に示されるように指示台（例えば、５１）に向かって進む必要があるという、遊園地の従業員（例えば、９２）に提供される他の何れかの視覚的又は聴覚的指標が存在する場合がある。指示台５１では、遊園地の従業員１１４は、修復デバイス１１６を利用することができる。修復デバイス１１６は、遊園地の従業員１１４が、来園客の識別情報を１又は２以上の特定の資格に関連付けることを可能にすることができる。場合によっては、来園客の識別情報を１又は２以上の特定の資格に関連付けることができない場合など、来園客８４は、追加の資格を購入することができるチケット発行場所に誘導されることがある。第５のステップ１１８に示すように、来園客８４がこれらのアクションを実行すると、来園客８４は、遊園地１０の様々な資格エリア２０に進むことができる。
【００３１】
図５は、統合アクセス制御デバイス１６Ｂの１つの例示的な実施形態の分解斜視図である。具体的には、図５は、統合アクセス制御デバイス１６Ｂの様々な構成要素と、これらの構成要素がどのように物理的及び通信的に相互に結合できるかを示している。図示の統合アクセス制御デバイス１６Ｂは、特定の幾何学的構成を有する統合構造を形成するために一般に共に組み合わされる複数のモジュラー構成要素を含む。図示のように、図５の統合アクセス制御デバイス１６Ｂの幾何学的構成は、極又は円筒（図１のアクセス制御デバイス３４を含むか、又はその一部とすることができる）である。しかしながら、他の実施形態では、幾何学的構成は、遊園地１０に関連するテーマのある入口エリア１に一体化することができる他の何れかの形状とすることができる。この点で、統合アクセス制御デバイス１６の特定の実施形態の１つの態様は、これらが特定の遊園地アトラクション２２のテーマに容易に一体化できることであり、これは一般にアクセス制御デバイス１６のカモフラージュに対応することができる。統合アクセス制御デバイス１６のこの特定の態様は、アクセス制御デバイスが直ぐに見られ、エリア（例えば、２０）を互いから明確にする一般的な構成とは対照的に、アトラクション２２間のより臨場感がありシームレスな体験に望ましいとすることができる。統合アクセス制御デバイス１６の構造、幾何学的構成、形状、寸法の態様などは、図１のアクセス制御デバイス３４を含むか、その一部とすることができることを理解されたい。更に、図２〜図５の第２の統合アクセス制御デバイス１６Ｂは、極又は円筒として描かれているが、統合アクセス制御デバイス１６Ｂ（例えば、図１に記載されるように）は、任意の適切な構造、形状、幾何学的構成、寸法的態様などを含むことができる。
【００３２】
統合アクセス制御デバイス１６Ｂの構成要素は、一般に、来園客識別情報を決定する１又は２以上のセンサモジュール１３０（図１のモジュール式センサデバイス３６を含むか、又はその一部とすることができる）を含み、来園客識別情報は、顔認識情報、体型情報、虹彩情報、指紋情報、又は来園客の解剖学的構造に関連する他の情報に対応することができる。追加又は代替として、統合アクセス制御デバイス１６Ｂは、来園客資格情報に関連付けることができるアイテムをスキャンするセンサモジュールを組み込むことができる。このようなアイテムは、資格情報を格納するチップ有するリストバンド、バーコード又は資格情報をエンコードしたクイックレスポンス（ＱＲ）コードを有するチケット及び同様のものを含むことができる。更に、特定のセンサモジュール１３０は、タブレット、スマートフォン、又は同様のデバイスなど、来園客８４の個人用電子デバイスと通信するように構成された通信デバイスを組み込むことができる。
【００３３】
図示の構成要素は、床、天井、壁などの表面１３６又は他の構造物に取り付けるマウント１３４を有するベース１３２を含む。他の実施形態では、マウント１３４は、単に地面上に置くことができる。マウント１３４はまた、電力及び／又はデータ伝送ラインを受け取るポートを含むことができる。ベース１３２はまた、マウント１３４に結合されたベースモジュール又はアクセス制御モジュール１３８を含むことができる。アクセス制御モジュール１３８は、統合アクセス制御デバイス１６Ｂの他のモジュール式構成要素（例えば、センサモジュール１３０）の動作の調整を可能にする処理及びメモリ構成要素を組み込むことができる。例えば、アクセス制御モジュール１３８は、統合アクセス制御デバイス１６Ｂの動作を制御する（例えば、１又は２以上のメモリデバイスに格納された機械可読命令を１又は２以上のプロセッサに実行させることによって）適切に構成された制御回路（例えば、１又は２以上のプロセッサ及び１又は２以上のメモリデバイスの形態）を有するローカル制御システムを組み込むことができる。ローカル制御システムはまた、アクセス制御システム１４と通信する通信回路を含めることができる。このため、アクセス制御モジュール１３８（又は統合アクセス制御デバイス１６Ｂの代替の構成要素）に配置されたローカル制御システムは、来園客登録データベース２８及び／又は資格データベース３０への書き込みデータの照会を実行し、及び／又はアクセス制御データベース３２においてアルゴリズムを実行し、データを更新し、又は同様のことを行うことができる。代替又は追加の実施形態では、アクセス制御モジュール１３８は、ベースモジュール１１から分離することができ、従って、センサモジュール１３０間（例えば、１３０Ａ、１３０Ｂ、及び１３０Ｃ）、又は統合アクセス制御デバイスの上部近く（例えば、キャップモジュール１４０に隣接した）など、統合アクセス制御デバイス１６Ｂのモジュールに対して何れかの適切な位置にて別個のモジュールとして配置することができる。従って、このような実施形態では、ベースモジュール１３８は、アクセス制御モジュールの処理及びメモリ構成要素又はローカル制御システムを含まない場合がある。
【００３４】
図示の実施形態では、ベースモジュール１３８は、キャップモジュール１４０とは反対側の統合アクセス制御デバイス１６Ｂの第１の端部に位置付けられる。キャップモジュール１４０は、一般的に、統合アクセス制御デバイス１６Ｂの内部構成要素を密封することができる。特定の実施形態では、キャップモジュール１４０は、アンテナ、無線通信デバイス、又は他の同様の特徴などの様々な構成要素を組み込むことができる。
【００３５】
図５に示す統合アクセス制御デバイス１６Ｂのセンサモジュール１３０は、ベースモジュール１３８とキャップモジュール１４０の間に配置された、第１のセンサモジュール１３０Ａ、第２のセンサモジュール１３０Ｂ、第３のセンサモジュール１３０Ｃを含む。これらの種々のモジュール１３０は、様々な方法で組み合わせることができる。しかしながら、図示の実施形態では、各モジュラー構成要素（センサモジュール１３０を含む）は、オスコネクタ１４２及びメスコネクタ１４４を含む。オスコネクタ１４２及びメスコネクタ１４４は、様々なモジュラー構成要素間の確実な接続を可能にするために互いに相補的な物理的特徴を含むことができる（例えば、締まり嵌め又はスナップ嵌めを介して）。
【００３６】
更に、モジュラー構成要素１３０は、通信及び電力伝送を可能にする様々な特徴を含むことができる。第１のセンサモジュール１３０Ａにて具体的に示されるように、センサモジュール１３０の物理的構造は、ハウジング１４６、ハウジング１４６を通って延びる通信バス１４８、及びハウジング１４６を通って延びる電力バス１５０を含むことができる。通信バス１４８及び／又は電力バス１５０は、様々なモジュラー構成要素１３０のハウジング１４６内に一体化されるか、又は露出することができる。しかしながら、特定の実施形態によれば、各モジュラー構成要素１３０の通信バス１４８及び電力バス１５０は、異なるモジュラー構成要素１３０間の容易な接続を可能にするために、少なくともそれぞれのオスコネクタ１４２及びメスコネクタ１４４で露出することができる。本発明の実施形態は、統合アクセス制御デバイス１６Ｂの効率的な組み立て、分解、保守、及びカスタマイズを提供する。モジュール（例えば、モジュラー構成要素１３０）の線形配置、垂直スタッキング、単純な通信インターフェイスなどは、従来の手法に比べてこれらの効率上の利点を提供する。
【００３７】
非限定的な実施例として、第１のセンサモジュール１３０Ａは、第１のセンサ１５２を含むことができ、これは、近距離無線通信デバイスなどの様々な通信デバイスの何れか１つ又は組み合わせを含むことができる。例示的な実施構成として、第１のセンサ１５２は、来園客８４の個人用電子デバイス及び／又はリストバンドなどの格納された資格情報を組み込んだウェアラブル特徴と通信することができる。
【００３８】
第２のセンサモジュール１３０Ｂは、第１のセンサモジュール１３０Ａの１又は複数のセンサ１５２とは異なる別のタイプのセンサを含むことができる。実際に、本実施形態によれば、統合アクセス制御デバイス１６Ｂのセンサ構成要素（例えば、１５２）は、例えば、統合アクセス制御デバイス１６Ｂが配備される場所に関連する特定の要件セットに基づいて混合及びマッチさせることができる。例えば、図２に示すような入口システム５０が、特定のタイプの検出器を組み込んでいる場合、統合アクセス制御デバイス１６Ｂは、遊園地１０内の管理されたアクセスエリアにて冗長性が望ましくない場合には、必ずしも当該タイプの検出器を組み込まなくてもよい。冗長性が望ましい場合には、同じタイプの複数のセンサモジュール１３０を同じ統合アクセス制御デバイス１６Ｂで使用することができる。
【００３９】
例として、第２のセンサモジュール１３０Ｂは、来園客８４に関連する受け取った音声データと格納された音声データとの間のマッチングを可能にする、マイクロフォン及び関連の音声認識回路などの音声認識技術を含むことができる。追加的又は代替的に、第２のセンサモジュール１３０Ｂは、統合アクセス制御デバイス１６Ｂによって実行される様々な検証手順に応答して、視覚的フィードバックを提供する照明（例えば、発光ダイオード（ＬＥＤ））などの一連のフィードバックインジケータ（例えば、７０）を組み込むことができる。
【００４０】
第３のセンサモジュール１３０Ｃは、第１及び第２のセンサモジュール１３０Ａ、１３０Ｂとは異なる第３のタイプのセンサ又は第３のセンサセットを組み込むことができる。例として、第３のセンサモジュール１３０Ｃは、カメラ及び関連する顔認識制御回路などの様々な生体認証センサを含むことができる。本開示に従って、あらゆるタイプの生体認証センサ又は顔認識システムを利用することができる。従って、理解されるように、統合アクセス制御デバイス１６Ｂは、アクセス制御モジュール又はベースモジュール１３８と通信可能に結合して、来園客情報を識別し、当該情報を格納された来園客情報と比較して、識別された来園客８４に関連付けられた資格を識別し、来園客８４が特定のエリア（例：２０）に入るのが明らかであるかどうかを示すフィードバックを提供することができる、１つの統合構造に複数の異なるセンサタイプを組み込む。
【００４１】
本実施形態によれば、何れかの特定の入口エリア１８における来園客８４は、当該エリア１８に関連する統合アクセス制御デバイス１６によってスキャンすることができる。特定の状況では、これにより、特定の入口エリア１８における全ての来園客８４がスキャンされる結果となる場合がある。このスキャンに続いて、来園客の情報は、格納されている来園客の登録及び資格データと比較することができる。しかしながら、特定の遊園地においては、特定の入口エリア１８に存在することができる人数は、比較的多い場合がある点に留意されたい。すなわち、スキャンして資格情報を検証する極めて多くの人が存在する場合がある。これらのコンピュータ実装手順は、大規模なプロセッサ負荷の大きいものとすることができ、従って、遊園地１０全体にわたって様々な場所で来園客８４がスキャンされ資格が検証される方法を制御することによって、来園客のスキャン及び資格の検証に割り当てられるリソースの量を低減することが望ましいとすることができる。
【００４２】
本開示の統合アクセス制御デバイス１６が来園客８４をスキャンして資格情報を検証し、有意義なフィードバックを提供して、遊園地１０全体の来園客の流れを制御することができる効率を高めることが望ましいとすることができることは、認識されている。図６は、本開示の統合アクセス制御デバイス１６を用いて遊園地エリア（例えば、２０）への入場を制御する方法１６０のプロセスフロー図である。本方法１６０は、アクセス制御コンピュータシステム１４及び１又は２以上の統合アクセス制御デバイス１６の組み合わせにより実行することができる。
【００４３】
一般的に、本方法１６０は、全ての来園客８４の全ての来園客識別子に関連する全ての情報を照会して、資格情報の検証をするのではなく、来園客８４の来園客識別子を、特定の領域（例えば、２０）の資格に関連付けられていない来園客識別子のセットと比較することを含む。動作１６２として示される本方法１６０の第１の動作において、アクセス制御コンピュータシステム１４などのシステムは、資格及び来園客識別情報（例えば、生体認証データ、個人用電子デバイスデータ）のリストを受け取ることができる。追加又は代替として、統合アクセス制御デバイス１６は、資格及び来園客識別子のリストを受け取ることができる。
【００４４】
動作１６４において、システム１４は、各資格に関連付けられていない来園客識別子（例えば、来園客識別子のセット）を識別又は決定することができる。すなわち、特定の資格については、各資格に関連付けられていない来園客識別子のリストが生成される。従って、特定の資格に関連付けられている各統合アクセス制御デバイス１６は、資格ステータスに関係なく全ての来園客８４の全ての来園客識別子に関連する全ての情報を照会して資格情報を検証するのではなく、当該特定の資格に関連付けられていない来園客識別子のみをスキャンする。
【００４５】
このため、本方法１０はまた、動作１６６に示すように、複数の統合アクセス制御デバイス１６がそれぞれの資格に関連付けられることを含む。例えば、図１に示す統合アクセス制御システム１２を参照すると、資格エリア２０Ａに関連付けられた統合アクセス制御デバイス１６Ａが存在し、資格エリア２０Ｂに関連付けられた異なる統合アクセス制御デバイス１６Ｂが存在する。この位置決めは、統合アクセス制御デバイス１６のそれぞれの資格に対応するエリア（例えば、２０）における複数の統合アクセス制御デバイス１６の展開を含む、動作１６８に対応することができる。或いは、統合アクセス制御デバイス１６は、特定の場所に位置付けることができ、この関連する資格は、展開時に更新することができる。
【００４６】
動作１７０において、本方法１６０は、当該エリアにおいて来園客８４の来園客識別データについてそれぞれのエリアをスキャンするステップを含む。例として、再度図１に戻ると、資格エリア２０Ａに関連付けられた統合アクセス制御デバイス１６Ａは、当該入口エリア１８において来園客８４をスキャンし、来園客識別子を受け取ることになる。同様に、資格エリア２０Ｂに関連付けられた統合アクセス制御デバイス１６Ｂは、当該入口エリア１８Ｂにおける来園客８４をスキャンし、来園客の来園客識別子を受け取ることになる。
【００４７】
動作１７２では、本方法１６０は、スキャンされた来園客識別子を、それぞれの資格に関連付けられていない来園客識別子のリスト又はセットと比較するステップを含む。図１の例では、資格エリア２０Ａに関連付けられた統合アクセス制御デバイス１６Ａは、スキャンされた来園客識別子を、資格エリア２０Ａの当該資格に関連付けられていない来園客識別子（例えば、動作１６４において生成されたような）のリストと比較することができる。同様に、資格エリア２０Ｂに関連付けられた統合アクセス制御デバイス１６Ｂは、スキャンされた来園客識別子を、資格エリア２０Ｂの資格に関連付けられていない来園客識別子のリストと比較することになる。有利には、統合アクセス制御デバイス１６は、それぞれの資格に関連付けられていない来園客識別子のリストよりも遙かに大きく広範囲に及ぶ可能性がある、全ての来園客識別子の全リストとスキャンされた来園客識別子を比較する必要を回避することができる。このターゲットスキャン方法を実行することで、統合アクセス制御デバイス１６及びアクセス制御コンピュータシステム１４によって処理する必要のある情報量を削減することによって、様々な資格エリア２０へのアクセス制御に関連する処理負荷を軽減できることが認識されている。
【００４８】
図６の方法１６０はまた、動作１７４において対応する資格に関連付けられていない来園客の識別又は決定に応じて指標を出力するステップを含む。例えば、統合アクセス制御デバイス１６は、入口エリア１８をスキャンし、入口エリア１８に関連する遊園地エリア（例えば、２０）に入る資格を持たない来園客８４を識別し、このような来園客８４を識別することに応じて動作１７４に従って、来園客８４が遊園地エリア２０に入る資格を持たないという指標を提供する。提供される指標は、識別された来園客８４の入口パスの物理的な遮断（例えば、ゲートを自動的にロックすることによる）とすることができ、或いは、来園客８４又は周囲の来園客に知覚されないが、従業員が来園客８４を適切な場所に誘導できるように遊園地の従業員（例えば、タブレットなどの携帯型電子デバイスを介して）に提供されるより繊細な指標とすることができる。追加的又は代替的に、指標は、統合アクセス制御デバイス１６（例えば、トーン又は照明光）にて生成される視覚的及び／又は聴覚的効果とすることができ、或いは、接続されたショー効果のアクティブ化とすることができる。従って、遊園地１０の来園客８４は、トーン、照明光、又はショー効果がアトラクション２２のテーマの不可欠な部分とすることができると認識する場合があるが、遊園地の従業員は、その指標を来園客資格の発行を示すものとして認識し、これに応じて適切なアクションを実行することができる。
【００４９】
本明細書では、本開示の特定の特徴のみが図示及び説明されているが、当業者には多くの修正及び変更が想起されるであろう。従って、添付の特許請求の範囲は、本開示の真の精神に含まれる全てのこのような修正及び変更を包含することを意図していることを理解されたい。上記で検討された図に関して図示又は説明された特徴の何れもあらゆる適切な方法で組み合わせることができる点を理解されたい。
【００５０】
本明細書で提示され特許請求された技術は、本発明の技術分野を明らかに改善する有形物及び実際的な性質の具体例に参照及び適用され、このため、抽象的、無形又は純粋に理論上のものではない。更に、本明細書に添付されたあらゆる請求項が、「ある機能を実行する手段」又は「ある機能を実行するステップ」として指定された１又は２以上の要素を包含する場合には、このような要素は、米国特許法第１１２条第６項に基づいて解釈されることを意図している。しかしながら、他の何れかの様態で指定された要素を含む何れかの請求項については、このような要素は、米国特許法第１１２条（ｆ）に基づいて解釈されないものとする。
【図１】
2021534502.tif 000003
【図２】
2021534502.tif 000004
【図３】
2021534502.tif 000005
【図４】
2021534502.tif 000006
【図５】
2021534502.tif 000007
【図６】
2021534502.tif 000008
【国際調査報告】
2021534502.tif 000009
2021534502.tif 000010
2021534502.tif 000011
2021534502.tif 000012
2021534502.tif 000013